(57)【要約】      （修正有）【課題】構造がシンプル、使用が安全かつ随時食べ物を温かく保つことができるプレート加熱シートの構造を提供する。【解決手段】プレート加熱シートは、台座１及び発熱装置２を含み、台座は収納スペース１１を有し、収納スペース内に電源及びバッテリーモジュール１２及び制御回路モジュール１３を設ける。制御回路モジュールはセンサーモジュール１４を接続する。発熱装置は台座の収納スペースの上で結合し、伝導部品２１及び発熱体２０を含み、上に置かれたプレート３を加熱し、プレートの底部は全面的に伝導部品と接触する。また、発熱装置は複数個の弾性体２２を設け、上下に弾性的に収納スペース内にて変位する。発熱装置はセンサーモジュールと接続し、プレートを伝導部品に置いて、プレートの重さにより発熱装置が下向きに変位し、センサーモジュールとの接続を遮断すると、制御回路モジュールは発熱装置を駆動して発熱する。【選択図】図２
0003223126.tif 000002
【実用新案登録請求の範囲】
【請求項１】
一つの台座及び一つの発熱装置を含み、
該台座は一つの収納スペースを具有し、該収納スペース内に一つの電源及びバッテリーモジュール及び一つの制御回路モジュールを設け、該制御回路モジュールは別途一つのセンサーモジュールを接続し、及び
該発熱装置は上記台座の収納スペースの上で結合し、該発熱装置に含まれるのは一つの伝導部品及び一つの発熱体であり、上に置かれたプレートを加熱し、且つ該プレートの底部は全面的に該伝導部品と接触することができ、
また、該発熱装置は複数個の弾性体を設けることで、該発熱装置は該収納スペース内にて上下に弾性的に変位することができ、且つ該発熱装置はまた、前記センサーモジュールと接続し、プレートを該伝導部品に置いたあと、プレートの重さにより、該発熱装置が下に向かって変位することで、該センサーモジュールとの接続を遮断した場合、該制御回路モジュールは該発熱装置を駆動して発熱することができることを特徴とするプレート加熱シートの構造。
【請求項２】
前記発熱装置は一つの熱導体を含み、且つ該熱導体は該発熱装置の表面に設置し、該伝導部品は熱を受けた後、一つの予定温度に達すると、該制御回路モジュールの制御により、一定温度を保つことができることを特徴とする請求項１記載のプレート加熱シートの構造。
【請求項３】
更に一つのカバーを含み、該台座の上を蓋合し、該カバーの上に一つの減圧穴を設け、且つ該伝導部品の両サイドに一つの溝を設け、そこに水を注ぎいれることを特徴とする請求項１または請求項２記載のプレート加熱シートの構造。
【請求項４】
前記台座は一つの上半部及び一つの下半部を含み、その中、該伝導部品は該上半部の上方に突出して形成し、該上半部は一つの上下に変位するブロックとし、該発熱装置に従って下向きに変位する際に沈むことを特徴とする請求項１記載のプレート加熱シートの構造。
【請求項５】
前記電源及びバッテリーモジュールは一つの充電バッテリーを含むことを特徴とする請求項１記載のプレート加熱シートの構造。
【請求項６】
前記発熱装置の縁は、該プレートの底部にある一つのリング縁を置くためのものであることを特徴とする請求項１記載のプレート加熱シートの構造。
【請求項７】
前記伝導部品に含まれるのは一つの第一伝導ユニット及び複数個の第二伝導ユニットであり、その中、該複数個の第二伝導ユニットは順に重ね、且つ該第一伝導ユニットの周囲を囲んで設置することで、該伝導部品は一つの階段状の頂部を形成し、異なるサイズのプレートの底部が、全面的に該伝導部品と接触できるようにし、一方、該発熱体及び弾性体は該第一伝導ユニット及び複数個の第二伝導ユニットの底部に分布して設置することで、該第一伝導ユニット及び複数個の第二伝導ユニットが全て発熱することができ、且つ上下弾性的に該収納スペースの中で変位することができることを特徴とする請求項１記載のプレート加熱シートの構造。
【考案の詳細な説明】
【技術分野】
【０００１】
本考案は構造がシンプル、使用が安全且つ随時プレート内の食べ物を温かく保つことのできるプレート加熱シートの構造に関する。
【背景技術】
【０００２】
目下おかずを温める方法としては、電気釜で加熱、或いはお鍋で直接加熱、或いは電子レンジで加熱した後、食卓に持って行く。しかし、どのような方法で温めたとしても、食卓で食事をしている間にたちまち冷めてしまう。特にレストランでの食事はなお更明らかである。よって、食べ物を温かく保つために、目下よく使われているのは、別の加熱プレートを使い、アルコールジェルを入れて点火し、食べ物を入れた食器をその上において加熱を行う。或いは電磁調理器を使って、食べ物を加熱或いは保温を行う。
【０００３】
しかし、上述の方法により、食べ物をすばやく加熱する効果はあるが、アルコールを使って加熱する方法では、温度をコントロールできず、食べ物を過度に加熱して変質させてしまいやすく、また、アルコールを使用することに対しても、食事中の消費者或いはスタッフにも危険性がある。電磁調理器を使って加熱する方法では、上記のアルコールを使った加熱方法に比べ、安全性の問題を解決することはでき、一定温度に保てるメリットはあるが、電磁調理器はお鍋の底部の材質及び底部が全面的に電磁調理器と接触できるものに限られる。レストラン或いは家庭で大量に使用するプレートの底部に一つのリング状縁を設けることで、電磁調理器に置いた後、プレートの底部にあるリング縁を通じてのみ熱伝導するため、熱伝導が遅く且つ電気量がかかり、その上、電気を必要とする電磁調理器は使用する際、任意に移動することができず、遠くに座った人にとっては、取りにくいこともあることを鑑みて、更なる改善が必要であった。
【考案の概要】
【考案が解決しようとする課題】
【０００４】
前記公知構造の欠点を解決するために、本考案は構造がシンプル、使用が安全且つ随時プレート内の食べ物を温かく保つことのできるプレート加熱シートを提供することを主な課題とする。
【課題を解決するための手段】
【０００５】
上述の目的を解決するために、本考案はプレート加熱シートの構造を提供するものである。主に一つの台座及び一つの発熱装置を含み、該台座は一つの収納スペースを具有し、該収納スペース内に一つの電源及びバッテリーモジュール及び一つの制御回路モジュールを設ける。該制御回路モジュールは別途一つのセンサーモジュールを接続する。該発熱装置は上記台座の収納スペースの上で結合し、一つの伝導部品及び一つの発熱体を含み、上に置かれたプレートを加熱する。且つ該プレートの底部は全面的に該伝導部品と接触することができる。また、該発熱装置は複数個の弾性体を設けることで、該発熱装置は該収納スペース内にて上下に弾性的に変位することができる。且つ該発熱装置もまた、上述センサー装置と接続し、プレートを該伝導部品に置いたあと、プレートの重さにより、該発熱装置が下に向かって変位することで、該センサー装置との接続を遮断した場合、該制御回路モジュールは該発熱装置を駆動して発熱することができる。
【０００６】
実施する際、該発熱装置は一つの熱導体を含み、且つ該熱導体は該発熱装置の表面に設置し、該伝導部品は熱を受けた後、一つの予定温度に達すると、該制御回路モジュールの制御により、一定温度を保つことができる。
【０００７】
実施する際、更に一つのカバーを含み、該台座の上を蓋合し、該カバーの上に一つの減圧穴を設け、且つ該伝導部品の両サイドに一つの溝を設け、そこに水を注ぎいれる。
【０００８】
実施する際、該台座は一つの上半部及び一つの下半部を含み、その中該伝導部品は該上半部の上方に突出して形成し、該上半部は一つの上下に変位するブロックとし、該発熱装置に従って下向きに変位する際に沈む。
【０００９】
実施する際、該電源及びバッテリーモジュールは一つの充電バッテリーを含む
【００１０】
実施する際、該発熱装置の縁は、該プレートの底部にある一つのリング縁を置くためのものである。
【００１１】
実施する際、該伝導部品に含まれるのは一つの第一伝導ユニット及び複数個の第二伝導ユニットであり、その中、該複数個の第二伝導ユニットは順に重ね、且つ該第一伝導ユニットの周囲を囲んで設置することで、該伝導部品は一つの階段状の頂部を形成し、異なるサイズのプレートの底部が、全面的に該伝導部品と接触できるようにする。一方、該発熱体及び弾性体は該第一伝導ユニット及び複数個の第二伝導ユニットの底部に分布して設置することで、該第一伝導ユニット及び複数個の第二伝導ユニットが全て発熱することができ、且つ上下弾性的に該収納スペースの中で変位することができる。
【考案の効果】
【００１２】
本考案の設計により、構造がシンプル、使用が安全且つ随時プレート内の食べ物を乾燥させることなく、温かく保つことができる。
【図面の簡単な説明】
【００１３】
【図１】本考案実施例のプレートを置く前の構造略図である。
【図２】本考案実施例のプレートを置いた後の構造略図である。
【図３】本考案の実施例に伝導体を設ける時の構造略図である。
【図４】本考案の実施例に熱導体を設けている場合、且つプレートを置いた後の構造略図である。
【図５】本考案の実施例にカバーを設けた時の使用状態略図である。
【図６】本考案の実施例の台座に上半部及び下半部を設けた際の略図である。
【図７】本考案の実施例の台座の上半部が沈んだ時の略図である。
【図８】本考案の実施例にある伝導部品をカスケード状に設ける略図である。
【図９】本考案の実施例において、異なるサイズのプレートに応用する時の状態略図である。
【図１０】本考案の実施例において、異なるサイズのプレートに応用する時の状態略図である。
【図１１】本考案の実施例において、異なるサイズのプレートに応用する時の状態略図である。
【考案を実施するための形態】
【００１４】
以下、本考案の具体的な構造と特徴および効果を、最良実施例と図面、符号を参照しながら詳細に説明する。
【実施例】
【００１５】
図１、図２に示すのは、本考案のプレート加熱シートの一つの実施例である。
【００１６】
本考案に設けるプレート加熱シートに含まれるのは一つの台座１及び一つの発熱装置２である。
【００１７】
該台座１は一つの収納スペース１１を具有し、該収納スペース１１内に一つの電源及びバッテリーモジュール１２及び一つの制御回路モジュール１３を設ける。該制御回路モジュール１３は別途一つのセンサーモジュール１４を接続し、該電源及びバッテリーモジュール１２は一つの充電バッテリー１２１を含む。
【００１８】
該発熱装置２は該台座１の収納スペース１１の上で結合する。該発熱装置２に含まれるのは一つの伝導部品２１及び一つの発熱体２０であり、上に置かれたプレート３を加熱する。且つ該伝導部品２１の頂部は全面的に該プレート３の底部と接触し、該プレート３の底部にある一つのリング縁３１は該発熱装置２の周りの縁に跨って設置する。
【００１９】
また、該発熱装置２は複数個の弾性体２２(例えばスプリング)を設けることで、該発熱装置２は該収納スペース１１内にて上下に弾性的に変位することができ、且つ該発熱装置２もまた、上述センサー装置１４と接続する。
【００２０】
それにより、実施する際、プレート３を該伝導部品２１に置いたあと、プレート３の重さにより、該発熱装置２が下に向かって変位することで、該センサー装置１４との接続を遮断した場合、該制御回路モジュール１３は該発熱装置２を駆動して発熱することができる。
【００２１】
図３、及び図４に示すように、該発熱装置２は別途一つの熱導体２３を含むことができ、且つ該熱導体２３は該発熱装置２の表面に設置する。該伝導部品２１は熱を受けた後、一つの予定温度に達すると、該制御回路モジュール１３の制御により、一定温度を保つことができる。該熱導体２３は該台座１の頂面と水平を保つようにデザインすることができる。熱導体２３と台座１の間にのみ一つの隙間Ｌを形成することで、該プレート３の底部リング縁３１を内側に置くと、該熱導体２３は該プレート３の底部下方全体と接触することができ、それによりプレート３が均等且つ素早く加熱或いは保温できる効果に達する。
【００２２】
また、プレート３内にある料理が加熱或いは保温の時間が長すぎるために、水分或いは汁が蒸発して乾燥する状況を少なくするために、図５に示すように、本考案は更に一つのカバー４を増設することができ、該台座１の上を蓋合する。該カバー４の上に一つの減圧穴４１を設け、且つ該伝導部品２１の両サイドに一つの溝２１１を設け、そこに水５を注ぎいれることで、カバー４内にある料理が加熱される際、溝２１１内の水５が水蒸気となり、カバー４内部が保湿する効果を得る。
【００２３】
このほか、更に様々な厚みのプレート３の底部リング縁３１でも適用するよう、図６、図７に示すように、本考案の台座１を上半部１５及び下半部１６に設けることができる。その中、該伝導部品２１は該上半部１５の上方に突出して形成し、該上半部１５は一つの上下に変位するブロックとし、該発熱装置２に従って下向きに変位する際に沈む。よって、該伝導部品２１と台座１はプレート３の底部の厚さに基づき、段階的に沈むことができ、更に厚みのあるプレート３の底部リング縁３１を置くことができる。
【００２４】
また、図８から図１１に示すように、該伝導部品２１はカスケード(cascade)状にデザインすることができる。例えば該伝導部品２１に含まれるのは一つの第一伝導ユニット２１２及び複数個の第二伝導ユニット２１３である。その中、該複数個の第二伝導ユニット２１３は順に重ね、且つ該第一伝導ユニット２１２の周囲を囲んで設置することで、該伝導部品２１は一つの階段状の頂部を形成し、異なるサイズのプレートの底部が、全面的に該伝導部品２１と接触できるようにする。一方、該発熱体２０及び弾性体２２は該第一伝導ユニット２１２及び複数個の第二伝導ユニット２１３の底部に分布して設置することで、該第一伝導ユニット２１２及び複数個の第二伝導ユニット２１３が全て発熱することができ、且つ上下弾性的に該収納スペース１１の中で変位することができる。図９を例に挙げると、スープ茶碗或いは湯のみなど、体積が小さい食器ａを加熱する時、第一伝導ユニット２１２と接触することで、加熱保温の目的に達することができる。図１０に示すような比較的大きなプレートｂの場合、第一伝導ユニット２１２、第二伝導ユニット２１３と同時に接触することで、加熱保温する目的に達する。仮にもっと大型のプレートｃの場合、第一伝導ユニット２１２、複数個の第二伝導ユニット２１３と同時に接触することで、該プレートｃの底部が全面的に接触して加熱保温する効果に達することができる。
【００２５】
よって、本考案は下記のメリットを具有する：
【００２６】
本考案はプレートを置いた後の重さを利用し、該発熱装置が該収納スペース内にて上下に弾性的に変位することと合わせ、通電の可否を制御し、構造がシンプル、コストが低いメリットを持つ。
【００２７】
本考案は伝導部品の頂部の全面を該プレートの底部と接触することを利用し、該プレートの底部にあるリング縁は該発熱装置の縁を跨ぐように置くデザインにより、プレートの熱を受ける面積が大幅に増加することで、均等且つ素早く加熱或いは保温する効果に達する。従来技術の電磁調理器がプレートのリング縁のみを介して熱伝導を行うことと異なり、本考案の効果は更によい。
【００２８】
本考案はカバーを増設するデザインを通じ、合わせて伝導部品の両サイドにある溝に水を注ぐことにより、カバー内にある料理を加熱する際、溝内の水が水蒸気と化すことで、料理の水分が無くなる問題を防ぐ。また、カバーの減圧穴は、有効的に内外の圧差を少なくし、簡単にカバーを外すことができる。
【００２９】
本考案の台座はまた、該発熱装置に従い、下向きに変位する場合には沈むようデザインすることができることで、プレートの異なる底部の厚みに応じて使用することができる。
【００３０】
本考案の伝導部品はカスケード状にデザインすることができ、それにより異なるサイズの食器或いはプレートを置いたあと、底部が全て全面的に該伝導部品と接触することができる。
【００３１】
本考案は如何なるプレートの使用を適用し、バッテリーを設置することにより、場所に制限されずに便利に移動することができる。よって個人或いは家庭での使用、或いはレストランでの使用に関わらず、全てのプレートを有効的に加熱或いは保温する効果を提供することができ、大変便利である。
【００３２】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００３３】
１  台座
１１  収納スペース
１２  電源及びバッテリーモジュール
１２１  充電バッテリー
１３  制御回路モジュール
１４  センサーモジュール
１５  上半部
１６  下半部
２  発熱装置
２０  発熱体
２１  伝導部品
２１１  溝
２１２  第一伝導ユニット
２１３  第二伝導ユニット
２２  弾性体
２３  熱導体
３  プレート
３１  リング縁
４  カバー
４１  減圧穴
５  水
ａ  食器
ｂ  プレート
ｃ  プレート
Ｌ  隙間
【図１】
0003223126.tif 000003
【図２】
0003223126.tif 000004
【図３】
0003223126.tif 000005
【図４】
0003223126.tif 000006
【図５】
0003223126.tif 000007
【図６】
0003223126.tif 000008
【図７】
0003223126.tif 000009
【図８】
0003223126.tif 000010
【図９】
0003223126.tif 000011
【図１０】
0003223126.tif 000012
【図１１】
0003223126.tif 000013